【手続補正書】
【提出日】令和1年7月23日(2019.7.23)
【手続補正１】
【補正対象書類名】特許請求の範囲
【補正対象項目名】全文
【補正方法】変更
【補正の内容】
【特許請求の範囲】
【請求項１】
真水の品質に基づいて、真水の価値を高めるために、水以外の製品のパラメータを用いるコンピュータ化された方法であって、
水以外の少なくとも１つの取引された製品の更新可能な現在の価格を１つ以上のデジタル処理装置で自動的に入手し、およびメモリーに保存する工程であって、
家庭用、農業用、および工業用の水質カテゴリーからの複数の水質カテゴリーの各々に関して、１つ以上のデジタル処理装置で、
（ｉ）ＮａまたはＣｌ、
（ｉｉ）ＴＤＳ、
（ｉｉｉ）炭酸および炭酸塩
の２つ以上の非ゼロ量に関してメモリーに保存された許容可能な範囲であって、複数の真水の水質カテゴリーの各々に特有の範囲を使用して、特定の量の真水の各々における
（ｉ）ＮａまたはＣｌ、
（ｉｉ）ＴＤＳ、
（ｉｉｉ）炭酸および炭酸塩
の２つ以上の量に基づいて、複数の特定の量の真水の各々を、複数の水質カテゴリーの各々に入れる、工程；および
水質カテゴリーの１つにおける特定の量の真水のそれぞれについて、１つ以上のデジタル処理装置を用いて、前記水質カテゴリーの各々の真水の現在の指標値を決定する工程であって、指標値は、前記少なくとも１つの取引された製品のそれぞれの現在の価格に基づいて、および水源または指定された量の真水の水質に基づいて決定され、ここで水質は（ｉ）水質カテゴリー、または（ｉｉ）水質カテゴリーと水質カテゴリー内のグレードにより定義される、工程、
を含む、方法。
【請求項２】
少なくとも１つの取引された製品の各々の取引された製品は、（ｉ）少なくとも１つの取引された製品の各々の構成要素としての真水、および（ｉｉ）前記少なくとも１つの取引された製品の製造に用いられる真水、の少なくとも１つを有する、請求項１に記載の方法。
【請求項３】
指標値はさらに、（ｉ）少なくとも１つの取引された製品の各々における構成要素としての真水の量、（ｉｉ）少なくとも１つの取引された製品の製造に使用される真水の量、の少なくとも１つに基づく、請求項１または２に記載の方法。
【請求項４】
メモリーに保存されたＮＯ３の非ゼロ量の許容可能な範囲を使用する工程をさらに含み、ここで複数の特定の量の真水の各々を水質カテゴリーに入れることは、特定の量の真水の各々における、
（ｉ）ＴＤＳ
（ｉｉ）炭酸または炭酸塩
（ｉｉｉ）ＮａまたはＣｌ
（ｉｖ）ＮＯ３
の量に少なくとも部分的に基づく、請求項１から３のいずれか１つに記載の方法。
【請求項５】
メモリーに保存されたｐＨの許容可能な範囲を使用する工程をさらに含み、ここで複数の特定の量の真水の各々を水質カテゴリーに入れることは、ｐＨ値に少なくとも部分的に基づき、および特定の量の真水の各々における、
（ｉ）ＴＤＳ
（ｉｉ）炭酸または炭酸塩
（ｉｉｉ）ＮａまたはＣｌ
の量の２つ以上に少なくとも部分的に基づく、請求項１から４のいずれか１つに記載の方法。
【請求項６】
メモリーに保存されたｐＨの許容可能な範囲を使用する工程をさらに含み、ここで複数の特定の量の真水の各々を水質カテゴリーに入れることは、特定の量の真水の各々における、
（ｉ）ＴＤＳ
（ｉｉ）炭酸または炭酸塩
（ｉｉｉ）ｐＨ、および
（ｉｖ）ＮａまたはＣｌ
の量または値に少なくとも部分的に基づく、請求項１から５のいずれか１つに記載の方法。
【請求項７】
１つ以上の処理装置を使用し、それぞれの水質カテゴリーからの水の市場占有率に基づいて現在の指標値に重み付けする工程をさらに含む、請求項１から６のいずれか１つに記載の方法。
【請求項８】
１つ以上のデジタル処理装置で、水源の水または指定された値の水の決定された指標値および測定された水質に基づいて、水源の水の少なくとも一部または指定された量の水の値を決定する工程をさらに含む、請求項１から７のいずれか１つに記載の方法。
【請求項９】
真水の価値を高めるために水質測定を使用するためのシステムであって、該システムは、
特定の水源の水量または指定された水量に関する、
（ｉ）ＮａまたはＣｌ、
（ｉｉ）ＴＤＳ、
（ｉｉｉ）炭酸または炭酸塩
の量を保存するためのメモリー；
１つ以上のデジタル処理装置であって、
Ａ．水以外の少なくとも１つの取引された製品の更新可能な現在の価格を取得するためのものであり、少なくとも１つの取引された製品の各々は、（ｉ）構成要素としての真水、（ｉｉ）取引された製品の製造に使用される真水の少なくとも１つを有し、
Ｂ．家庭用、農業用、および工業用の水質カテゴリーからの複数の水質カテゴリーの各々に関して、
（ｉ）ＮａまたはＣｌ、
（ｉｉ）ＴＤＳ、
（ｉｉｉ）炭酸および炭酸塩
の非ゼロ量に関してメモリーに保存された許容可能な範囲であって、複数の真水の水質カテゴリーの各々に特有の範囲を、特定の量の各々における、
（ｉ）ＮａまたはＣｌ、
（ｉｉ）ＴＤＳ、
（ｉｉｉ）炭酸および炭酸塩
の量に基づいて、複数の特定の量の真水の各々を、複数の水質カテゴリーの各々に入れるためのものであり；および、
Ｃ．前記少なくとも１つの取引された製品の各々の価格、特定時点の現在の価格に基づいて、および水源または指定された量の真水の水質に基づいて、水質カテゴリーの各々の水に関する更新可能な指標値を決定するためのものであり、ここで水質は（ｉ）水質カテゴリーまたは、（ｉｉ）水質カテゴリーと水質カテゴリー内のグレードによって定義される、
１つ以上のデジタル処理装置、
を含むシステム。
【請求項１０】
少なくとも１つの取引された製品の各々は、（ｉ）少なくとも１つの取引された製品の各々の構成要素としての真水、および（ｉｉ）前記少なくとも１つの取引された製品の製造に使用される真水、の少なくとも１つを有する、請求項９に記載のシステム。
【請求項１１】
指標値はさらに、（ｉ）少なくとも１つの取引された製品の各々の構成要素としての真水の量、および（ｉｉ）前記少なくとも１つの取引された製品の製造に使用される真水の量、の少なくとも１つに基づく、請求項９または１０に記載のシステム。
【請求項１２】
１つ以上の処理装置はさらに、
（ｉ）ＮａまたはＣｌ、
（ｉｉ）ＴＤＳ、
（ｉｉｉ）炭酸または炭酸塩、および
（ｉｖ）ＮＯ３
の非ゼロ量に関してメモリーに保存された許容可能な範囲を使用して、特定の量の真水の各々における
（ｉ）ＮａまたはＣｌ、
（ｉｉ）ＴＤＳ、
（ｉｉｉ）炭酸または炭酸塩、
（ｉｖ）ＮＯ３
の量に基づいて、複数の特定の量の真水の各々を、複数の水質カテゴリーの各々に入れるためのものである、請求項９から１１のいずれか１つに記載のシステム。
【請求項１３】
１つ以上の処理装置は、ｐＨ値に基づいて、および特定の量の真水の各々における
（ｉ）ＴＤＳ、
（ｉｉ）炭酸または炭酸塩、
（ｉｉｉ）ＮａまたはＣｌ
の２つ以上の量に基づいて、複数の特定の量の真水の各々を、水質カテゴリーの各々に入れるためのものである、請求項９から１２のいずれか１つに記載のシステム。
【請求項１４】
１つ以上の処理装置は、ｐＨ値に基づいて、および特定の量の真水の各々における
（ｉ）ＴＤＳ、
（ｉｉ）炭酸または炭酸塩、
（ｉｉｉ）ＮａまたはＣｌ
の量に基づいて、複数の特定の量の真水の各々を、水質カテゴリーの各々に入れるためのものである、請求項９から１３のいずれか１つに記載のシステム。
【請求項１５】
１つ以上の処理装置はさらに、それぞれの水質カテゴリーからの水の市場占有率に基づいて指標値に重み付けするためのものである、請求項９から１４のいずれか１つに記載のシステム。
【請求項１６】
１つ以上のデジタル処理装置はさらに、水源または指定された値の真水の決定された指標値および水質に基づいて、特定の水源の水または指定された量の真水の少なくとも一部の値を決定するためのものである、請求項９から１５のいずれか１つに記載のシステム。
【請求項１７】
水源または特定の量の真水は水資産である、請求項９から１６のいずれか１つに記載のシステム。